(57)【要約】【課題】力の加減如何で肌を押す力(指圧力)が異なり、また、一度に一箇所しかマッサージできないため、両頬を一度にマッサージする痩顔促進用のマッサージ器として対応できない。【解決手段】遊端側が二本に分岐されたＵ字状のハンドル１と、該ハンドル１の先端１ａ，１ａに設けられたマッサージ用のローラー２，２と、該ローラー２，２の角度を任意に変えることができる角度変位手段３とを備えている。角度変位手段３は、ローラー２側に支持されるローラーホイール３ａと、ハンドル１側に支持されるシャフト受け３ｂと、該シャフト受け３ｂと前記ローラーホイール３ａとを角度調整自在に連結するシャフト３ｃとから構成される。【選択図】図１
0003123693.tif 000002
【実用新案登録請求の範囲】
【請求項１】
所定の長さを有するハンドルと、該ハンドルに設けられたマッサージ用のローラーとを備えてなる美容マッサージ器において、前記ハンドルは、少なくとも先端側が二本になるように形成されると共に、その二本の先端部にそれぞれローラーを取り付けてなることを特徴とする美容マッサージ器。
【請求項２】
所定の長さを有するハンドルと、該ハンドルに設けられたマッサージ用のローラーとを備えてなる美容マッサージ器において、前記ハンドル若しくはローラーに、同ローラー及び／又は前記ハンドルの取付角度を変えるための角度変位手段を設けたことを特徴とする美容マッサージ器。
【請求項３】
前記角度変位手段は、ローラー側に支持されるローラーホイールと、ハンドル側に支持されるシャフト受けと、該シャフト受けと前記ローラーホイールとを角度調整自在に連結するシャフトとを備えてなることを特徴とする請求項２に記載の美容マッサージ器。
【請求項４】
前記ハンドルは、握柄部を兼用すべくＵ字状に形成されていることを特徴とする請求項１又は２に記載の美容マッサージ器。
【考案の詳細な説明】
【技術分野】
【０００１】
本考案は、主として顔のマッサージ用として使用される美容マッサージ器の改良に関し、更に詳しくは、素人でも一定した指圧力で均等にマッサージをすることができ、延いては、マッサージ箇所に応じてローラーの角度を変えることができる低廉で有用な美容マッサージ器に関する。
【背景技術】
【０００２】
従来、斯かる美容マッサージ器としては、例えば、一方の先端にマッサージ器の水平方向の軸上に固定若しくは回転自在に支承されたマッサージ用のローラー(以下、単にローラーという)を、他方の先端に前記水平方向の軸に対して垂直に交差する軸上に回転自在に支承されたローラーをそれぞれ備え、これら両ローラーを支承する二部材を相互に間挿自在としてなる美容マッサージ器が既に案出されている（例えば、実用新案文献１参照）。
【特許文献１】実用新案登録第３０３８７４４号
【考案の開示】
【考案が解決しようとする課題】
【０００３】
しかしながら、上述した従来の美容マッサージ器にあっては、ローラーを滑動すべく皮膚をマッサージすることで肌の活性化を促すことができるものの、力加減如何で肌を押す力(以下、単に指圧力という)が異なり、また、フェイス面との角度によって力の入れ具合が異なることも相俟って、素人には一定した指圧力で均等にマッサージをすることができないといった問題があり、また、一度に一箇所しかマッサージできないため、両頬を一度にマッサージする痩顔促進用のマッサージ器として対応できるものではなかった。
【０００４】
本考案はこのような従来の問題点に鑑みてなされたもので、素人でも一定した指圧力で均等にマッサージすることができるのみならず、一度に二箇所同時にマッサージをすることができるなど、痩顔促進用のマッサージ器としても対応できる有用な美容マッサージ器を提供することを目的としたものである。
【課題を解決するための手段】
【０００５】
上述の如き従来の問題点を解決し、所期の目的を達成するため本考案の要旨とする構成は、所定の長さを有するハンドルと、該ハンドルに設けられたマッサージ用のローラーとを備えてなる美容マッサージ器において、前記ハンドルは、少なくとも先端側が二本になるように形成されると共に、その二本の先端部にそれぞれ前記ローラーを取り付けてなる美容マッサージ器に存する。
【０００６】
また、本考案は、所定の長さを有するハンドルと、該ハンドルに設けられたローラーとを備えてなる美容マッサージ器において、前記ハンドル若しくはローラーに、同ローラー及び／又は前記ハンドルの取付角度を変えるための角度変位手段を設けてなる美容マッサージ器に存する。
【０００７】
更に、前記角度変位手段は、ローラー側に支持されるローラーホイールと、ハンドル側に支持されるシャフト受けと、該シャフト受けと前記ローラーホイールとを角度調整自在に連結するシャフトとを備えるのが良く、また、前記ハンドルは、握柄部を兼用すべくＵ字状に形成するのが良い。
【考案の効果】
【０００８】
本考案は上述のように構成され、前記ハンドルは、少なくとも先端側が二本になるように形成されると共に、その二本の先端部にそれぞれローラーを取り付けてなることによって、ローラー間に両頬等を挟み込んでの痩顔マッサージなどを行うことができるため、素人でも一定した指圧力で均等にマッサージをすることができるといった効果を奏する。
【０００９】
また、前記ハンドル若しくはローラーに、同ローラー及び／又は前記ハンドルの取付角度を変えるための角度変位手段を設けたことによって、頬、顳、顎など、マッサージする箇所に応じてローラーやハンドルの角度を変えられる便利な美容マッサージ器を提供できることとなった。
【００１０】
更に、前記角度変位手段が、ローラー側に支持されるローラーホイールと、ハンドル側に支持されるシャフト受けと、該シャフト受けと前記ローラーホイールとを角度調整自在に連結するシャフトとを備えたことによって、ローラーとハンドルとを簡単に変角自在に連結できると共に、構成が単純であるため、大量生産に適し価格も低廉なものとして需用者に供給できるなど、本考案を実施することはその実益的価値が甚だ大である。
【００１１】
また、前記ハンドルが握柄部を兼用すべくＵ字状に形成すれば、基端側に独立して握柄部を設ける必要がなくなるなど、より構成が簡単で低廉な美容マッサージ器を提供できる。
【考案を実施するための最良の形態】
【００１２】
ハンドルは、少なくとも先端側が二本になるように形成し、その二本の先端部にそれぞれローラーを取り付けると共に、前記ハンドル若しくはローラーに、同ローラー及び／又は前記ハンドルの取付角度を変えるための角度変位手段を付設せしめる。
【実施例】
【００１３】
次に本考案の第１実施例を図１を参照しながら説明する。図中Ａは、本考案に係る美容マッサージ器の実施の一例を示すものであり、この美容マッサージ器Ａは、図１に示すように、遊端側が二本に分岐されたＵ字状のハンドル１と、該ハンドル１の先端１ａ，１ａに設けられたマッサージ用のローラー２，２とを備えている。
【００１４】
ハンドル１は、可撓性を有する合成樹脂材（例えば、アイオノマー樹脂，ＡＢＳ，ＰＥ，ＰＰ，Ｎｙなど）から成形されており、基端部１ｂから二つに分岐されると共に、上位に行くに連れて湾曲すべく形成されている。因に、基端部１ｂ側は握柄部を兼用するものであり、その遊端(先端)は、「ツボ押し」として使用できるように半円球状に形成されている。
【００１５】
ローラー２，２は、弾性を有する合成樹脂材（例えば、エラストマー、ゴムなど）から成形されており、このローラー２，２の連結部には、角度変位手段３が装着されている。
【００１６】
この角度変位手段３は、ローラー２側に支持されるローラーホイール３ａと、ハンドル１側に支持されるシャフト受け３ｂと、該シャフト受け３ｂと前記ローラーホイール３ａとを角度調整自在に連結するシャフト３ｃとから構成されている。
【００１７】
シャフト受け３ｂは、ハンドル１と同様の合成樹脂材（例えば、アイオノマー樹脂，ＡＢＳ，ＰＥ，ＰＰ，Ｎｙなど）から成形されており、後述するシャフト３ｃの支軸３ｃ１  を回動自在に支持する軸孔(図示せず)とを備えている。
【００１８】
シャフト３ｃは、ローラーホイール３ａと同様の合成樹脂材（例えば、ＰＯＭ，ＡＢＳ，ＰＥ，ＰＰ，Ｎｙ）から成形されており、前記シャフト受け３ｂの軸孔(図示せず)に回動自在に支持される支軸３ｃ１  とローラーホイール３ａ内に挿着される大径部３ｃ２  とを備えている。
【００１９】
次に、本考案の第２実施例を図２を参照しながら説明する。尚、理解を容易にするため、前述した第１実施例と同一部分は同一符号で示し、構成の異なる処のみを新たな番号を付して以下に説明する。
【００２０】
ローラー２の基端部に装着された角度変位手段３は、ローラー２側に支持されるローラーホイール３ａと、ハンドル１側に回動自在に支持されるシャフト受け３ｂと、該シャフト受け３ｂと前記ローラーホイール３ａとを連結するシャフト３ｃとから構成されている。
【００２１】
シャフト受け３ｂは、ハンドル１と同様の合成樹脂材（例えば、アイオノマー樹脂，ＡＢＳ，ＰＥ，ＰＰ，Ｎｙなど）から成形されており、後述するシャフト３ｃの係止爪３ｃ２  を抜止状態に許容する取付凹部(図示せず)と、同係止爪３ｃ３  を抜止状態に支持する軸孔３ｂ２  とを備えている。
【００２２】
シャフト３ｃは、ローラーホイール３ａと同様の合成樹脂材（例えば、ＰＯＭ，ＡＢＳ，ＰＥ，ＰＰ，Ｎｙ）から成形されており、ローラーホイール３ａ内に挿着される大径部３ｃ２  と、前記シャフト受け３ｂの軸孔３ｂ２  に回動自在に抜け止めされる係止爪３ｃ２  とを備えている。
【００２３】
次に、本考案の第３実施例を図３を参照しながら説明する。尚、理解を容易にするため、前述した第２実施例と同一部分は同一符号で示し、構成の異なる処のみを新たな番号を付して以下に説明する。
【００２４】
ハンドル１，１は、角度変位手段４を介して握柄部を構成する基端部１ｂ側に変位自在に挿着されている。この角度変位手段４は、ハンドル１，１の下端を摺動自在に支持すべく前記基端部１ｂの上位に形成された取付孔４ａと、該取付孔４ａに対し回動不能状態に形成されたロック脚部４ｂと、該ロック脚部４ｂに連設されて前記取付孔４ａに回動自在に挿着されるロック解除脚部４ｃとを備えている。
【００２５】
前記取付孔４ａは、端面形状が四角形(図示せず)に形成されていると共に、ロック脚部４ｂも四角形(図示せず)に形成されているため、互いを整合させた状態では周方向に回動しないように連結できるのである(ロック状態)。
【００２６】
また、ロック解除脚部４ｃは、端面形状が円形(図示せず)に形成されているため、基端部１ｂからハンドル１を抜き上げることで、前記ロック脚部４ｂが前記取付孔４ａから外れ、周方向に回転可能状態（非ロック状態）になるように工夫されている。
【００２７】
従って、本実施例の美容マッサージ器では、図３(ｂ)に示すように、ローラー２，２の向きを変えたい時は、斯かる非ロック状態の時にハンドル１，１の向きを変え、然る後、同ハンドル１を基の位置へ押し込むだけの簡単操作で、前記ロック脚部４ｂが取付孔４ａ内に回動不能状態（ロック状態）に嵌合をすることができる。尚、このロック解除脚部４ｃの下端には、取付孔４ａからの安易な抜け落ちを阻止するための抜け止め用の爪４ｄが突設されている。
【００２８】
次に、本考案の第４実施例を図４乃至図９を参照しながら説明する。尚、理解を容易にするため、前述した第１実施例と同一部分は同一符号で示し、構成の異なる処のみを新たな番号を付して以下に説明する。
【００２９】
ローラーホイール３ａは、金属又は合成樹脂材（例えば、ＰＯＭ，ＡＢＳ，ＰＥ，ＰＰ，Ｎｙ）から成形されており、図７に示すように、ローラー２内に整合される外装リング３ａ１  と、該外装リング３ａ１  に内設されてシャフト３ｃの大径部３ｃ１  を支持する取付リング３ａ２  とを備えている。
【００３０】
シャフト受け３ｂは、ハンドル１と同様の合成樹脂材（例えば、アイオノマー樹脂，ＡＢＳ，ＰＥ，ＰＰ，Ｎｙなど）から成形されており、シャフト３ｃの係止爪３ｃ２  を抜止状態に許容する取付凹部３ｂ１  と、同係止爪３ｃ２  を回動自在に支持する軸孔３ｂ２  とを備えている。
【００３１】
シャフト３ｃは、ローラーホイール３ａと同様の合成樹脂材（例えば、ＰＯＭ，ＡＢＳ，ＰＥ，ＰＰ，Ｎｙ）から成形されており、ローラーホイール３ａ内に挿着される大径部３ｃ１  と、該大径部３ｃ１  の下位に連設された係止爪３ｃ２  と、前記シャフト受け３ｂの軸孔３ｂ２  に回動自在に支持される回動軸３ｃ３  （図４参照）とを備えている。
【００３２】
更に、前記角度変位手段３は、一定の角度でローラー２を保持できるようにロック機構(図示せず)が付設されている。このロック機構はシャフト３ｃを所定の角度（例えば、９０度）に回動した際、同シャフト３ｃに突設されたロック用突起（図示せず）がシャフト受け３ｂに凹設されたロック孔(図示せず)に嵌合されることでローラー２を回動不能状態に保持するものであり(ロック状態)、また、前記ロック用突起の嵌合力に抗してシャフト３ｃを元の位置へ回動させること、換言すれば、前記ロック孔(図示せず)からロック用突起が抜け出すことでロック状態が解除できる構成になっている。
【００３３】
このように構成される本考案の美容マッサージ器Ａは、例えば、図９に示すように、互いのローラー２を向かい合わせた状態では、手指で握柄部１ｃを握りローラー２を顔に押し付けるべく摺動させるだけで、ローラー２が回転し周面の指圧突起２ａ、２ａ…で顔等の全身を刺激することができ、肌の活性化や血行を促進することができる。
【００３４】
また、痩顔のため、両頬を一度にローリングする場合は、図８に示すように、ローラー２が正面に向くように角度を変えた後、ハンドル１，１の加撓力に抗して両ローラー２，２間に頬を入れた状態で同ハンドル１，１を顔に沿って上下動させるだけで、両頬をローラー２，２で狭持すべく一定の力でローリングマッサージをすることができるため、従来の如き力加減如何で指圧力に差が出るといった不都合もなく、一度に二箇所同時にマッサージすることができるなど、痩顔用のマッサージ器として適することとなる。
【００３５】
更に、第４実施例の美容マッサージ器にあっては、全体形状が「花瓶に生けられた二輪の花」を醸し出すべく形成されているため、美的外観にも優れており、マグネットや錘を利用し（基端部１ｂを底にして）立設できるようにすれば、使用しない時は、インテリア用品として室内を装飾することもできる。
【００３６】
尚、本考案の美容マッサージ器は、本実施例に限定されることなく、本考案の目的の範囲内で自由に設計変更し得るものであり、本考案はそれらの全てを包摂するものである。例えば、ハンドル１及びローラー２の数や大きさ、形状等は、本実施例に限定されるものではない。
【００３７】
また、ハンドル１を屈曲自在な金属材で成形して、ローラー２の位置や向きを変位できるように構成したり、同ハンドル１や角度変位手段３に形状記憶樹脂材を使用することで、一旦、動かしたハンドル１及び／又はローラー２が基の位置に戻るように構成しても良い。
【００３８】
更に、ローラー２に、血行促進に良いとされるマグネット、ゲルマニユム、チタン、銅、銀、金、錫等の金属材若しくは水晶、セラミック、トルマリン、鉱物、更には芳香剤若しくは防臭剤（図示せず）の全て又は何れかを選択又は組み合わせたものを装着させても良く、また、これらはハンドル１、ローラー２の何れに装着させても良い。
【００３９】
また、本考案の第１実施例及び第２実施例では、ハンドル１とシャフト受け３ｂを別体で構成しているが、これに限定されることなく、部品点数を減らし組立を簡略化すべく両部材(ハンドル１とシャフト受け３ｂ)を一体成形しても良い。
【００４０】
また、本考案の美容マッサージ器は、本実施例で示した顔のマッサージのみならず、腕、脚、頭など(をローラー間に挟み込んで)の全身マッサージ器としても使用できるものであり、また、ローラー２をローリングさせたくない場合は、ローラー２の腹部（平坦面）を用いてマーッサージできることは云うまでもない。
【図面の簡単な説明】
【００４１】
【図１】本考案に係る美容マッサージ器の第１実施例を示す斜視図である。
【図２】本考案に係る美容マッサージ器の第２実施例を示す斜視図である。
【図３】本考案に係る美容マッサージ器の第３実施例を示す斜視図である。
【図４】本考案に係る美容マッサージ器の第４実施例を示す斜視図である。
【図５】同美容マッサージ器の要部を示す縦断面図である。
【図６】同美容マッサージ器の要部を示す組立分解斜視図である。
【図７】図７(a)はローラーの角度を変えた状態を示す要部縦断面図、図７(ｂ)はローラーを基の位置に戻した状態を示す要部縦断面図である。
【図８】同ローラーの角度を変えた状態を示す全体斜視図である。
【図９】同ローラーを元の位置に戻した状態を示す全体正面図である。
【符号の説明】
【００４２】
Ａ  美容マッサージ器
１  ハンドル
１ａ  先端
１ｂ  基端部
１ｃ  握柄部
２  ローラー
２ａ  指圧突起
３  角度変位手段
３ａ  ローラーホイール
３ａ１  外装リング
３ａ２  取付リング
３ｂ  シャフト受け
３ｂ１  取付凹部
３ｂ２  軸孔
３ｃ  シャフト
３ｃ１  大径部
３ｃ２  係止爪
３ｃ３  回動軸
４  角度変位手段
４ａ  取付孔
４ｂ  ロック脚部
４ｃ  ロック解除脚部
４ｄ  抜止用の爪
【図１】
0003123693.tif 000003
【図２】
0003123693.tif 000004
【図３】
0003123693.tif 000005
【図４】
0003123693.tif 000006
【図５】
0003123693.tif 000007
【図６】
0003123693.tif 000008
【図７】
0003123693.tif 000009
【図８】
0003123693.tif 000010
【図９】
0003123693.tif 000011
【手続補正書】
【提出日】平成18年5月30日(2006.5.30)
【手続補正１】
【補正対象書類名】実用新案登録請求の範囲
【補正対象項目名】全文
【補正方法】変更
【補正の内容】
【実用新案登録請求の範囲】
【請求項１】
所定の長さを有するハンドルと、該ハンドルに設けられたマッサージ用のローラーとを備えてなる美容マッサージ器において、前記ハンドルは、少なくとも先端側が二本になるように形成されると共に、その二本の先端部にそれぞれローラーを取り付けてなることを特徴する美容マッサージ器。
【請求項２】
前記ハンドル若しくはローラーに、同ローラー及び／又は前記ハンドルの取付角度を変えるための角度変位手段を設けたことを特徴とする請求項１に記載の美容マッサージ器。
【請求項３】
前記角度変位手段は、ローラー側に支持されるローラーホイールと、ハンドル側に支持されるシャフト受けと、該シャフト受けと前記ローラーホイールとを角度調整自在に連結するシャフトとを備えてなることを特徴とする請求項２に記載の美容マッサージ器。
【請求項４】
前記ハンドルは、握柄部を兼用すべくＵ字状に形成されていることを特徴とする請求項１、２又は３に記載の美容マッサージ器。